(57)【特許請求の範囲】
【請求項１】
漏斗状のコーン部と管状部とからなる複数のファンネルを、横並びかつ上下積層して、
（イ）横並びに隣り合うもの同士が上下逆向きとなり、
（ロ）上下に隣り合うもの同士間では、一方のファンネルの管状部が他方のファンネルのコーン部内に入り込む
状態で梱包するファンネル用梱包容器に使用される梱包補助具であって、管状部が上を向く上向きファンネルの管状部とコーン部を外側から覆う第１の保護部と、管状部が下を向く下向きファンネルのコーン部外面に下側から接して同ファンネルをファンネル横並び方向に位置規制した状態で支持する第２の保護部とを具備し、この両保護部が、ファンネル横並び方向に一体状態で連続して設けられてなることを特徴とするファンネル用梱包補助具。
【請求項２】
請求項１記載のファンネル用梱包補助具において、ファンネル横並び方向に間隔を置いて配置されて上向きファンネルの管状部を両側から挟み込む一対の垂直壁と、この両垂直壁から下向きに突設されて上向きファンネルのコーン部外面を両側から覆う突片とによって第１の保護部が構成されたことを特徴とするファンネル用梱包補助具。
【請求項３】
請求項１または２記載のファンネル用梱包補助具において、ファンネル横並び方向に対して直角方向に間隔を置いて一対の垂直壁が配置され、この両側垂直壁の上面がファンネルのコーン部に対応する凹曲面に形成されて第２の保護部が構成されたことを特徴とするファンネル用梱包補助具。
【請求項４】
請求項２または３記載のファンネル用梱包補助具において、第１および第２の保護部を構成する一対の垂直壁がそれぞれ板紙にて形成され、この両保護部を構成する垂直壁同士が互いの交差部分で噛み合った状態で一体に結合されたことを特徴とするファンネル用梱包補助具。
【請求項５】
請求項４記載のファンネル用梱包補助具において、両保護部の垂直壁の交差部分に切り込みが設けられ、この切り込みによって垂直壁同士が噛み合い結合されたことを特徴とするファンネル用梱包補助具。
【請求項６】
漏斗状のコーン部と管状部とからなる複数のファンネルを、横並びかつ上下積層して、
（イ）横並びに隣り合うもの同士が上下逆向きとなり、
（ロ）上下に隣り合うもの同士間では、一方のファンネルの管状部が他方のファンネルのコーン部内に入り込む
状態で、底部に水平な支持壁を備えた枠体内に収容して梱包するファンネル用梱包容器において、請求項１乃至５のいずれかに記載のファンネル用梱包補助具が上記枠体内に上記支持壁に支持された状態で設けられてなることを特徴とするファンネル用梱包容器。
【発明の詳細な説明】
【０００１】
【発明の属する技術分野】
本発明はブラウン管のファンネル（ガラス外管）を複数個、横並びかつ上下積層状態で梱包するファンネル用梱包補助具および同梱包容器に関するものである。
【０００２】
【従来の技術】
従来の技術を図５，６によって説明する。
【０００３】
ファンネルは、図６に示すように漏斗状のコーンＣ部と管状部（ネック）Ｎから成り、複数個ずつ、横並びかつ上下積層状態で梱包されて運搬される。
【０００４】
この場合、ファンネルは、図５に示すように、
（イ）横並びに隣り合うもの同士が上下逆向きとなり、
（ロ）上下に隣り合うもの同士間では、一方のファンネルの管状部Ｎが他方のファンネルＦのコーン部Ｃ内に入り込む
状態で上下複数段の梱包容器Ａ…によって梱包される。
【０００５】
以下、ファンネル横並び方向を左右方向、これと直角な方向を前後方向という。
【０００６】
また、図５において、管状部Ｎが上を向いて梱包されるファンネルについて上向きファンネルと称して符号Ｆ１を付し、管状部Ｆが下を向いて梱包されるファンネルについて下向きファンネルと称して符号Ｆ２を付して示す。
【０００７】
梱包容器Ａは、上下両面が開口しかつ底部前後両側に水平な支持壁１ａを備えた左右に長い枠体１と、この枠体１の上面開口部に被冠される中仕切り板２とによって本体が構成され、内部に梱包補助具である紙管３およびＶ字形の受けパッド４が設けられる。
【０００８】
中仕切り板２には、管状部ガイド穴２ａ…が設けられ、上向きおよび下向きファンネルＦ１，Ｆ２の管状部Ｎがこの管状部ガイド穴２ａを通して上下隣り合う容器Ａ内に入り込む。
【０００９】
紙管３は、各ファンネルＦ１…，Ｆ２…の管状部Ｎに外嵌され、管状部Ｎと、この管状部Ｎが入り込んだコーン部Ｃの干渉を防止する。
【００１０】
一方、受けパッド４は、左右隣り合うファンネルＦ１，Ｆ２間に設けられ、この両ファンネルＦ１，Ｆ２のコーン部Ｃ，Ｃ同士の干渉を防止する。
【００１１】
なお、この受けパッド４のＶ字の底部に管状部Ｎが通される管状部通し穴４ａが設けられている。
【００１２】
【発明が解決しようとする課題】
ところが、上記構成によると、梱包時に、ファンネルＦ１…，Ｆ２ごとに紙管３を被せ、ファンネル間に受けパッド４を入れなければならないため、この梱包補助具の装着操作が面倒で梱包作業の能率が悪いものとなっていた。
【００１３】
そこで本発明は、梱包作業を能率良く行うことができるファンネル用梱包補助具および梱包容器を提供するものである。
【００１４】
【課題を解決するための手段】
請求項１の発明（梱包補助具）は、漏斗状のコーン部と管状部とからなる複数のファンネルを、横並びかつ上下積層して、
（イ）横並びに隣り合うもの同士が上下逆向きとなり、
（ロ）上下に隣り合うもの同士間では、一方のファンネルの管状部が他方のファンネルのコーン部内に入り込む
状態で梱包するファンネル用梱包容器に使用される梱包補助具であって、管状部が上を向く上向きファンネルの管状部とコーン部を外側から覆う第１の保護部と、管状部が下を向く下向きファンネルのコーン部外面に下側から接して同ファンネルをファンネル横並び方向に位置規制した状態で支持する第２の保護部とを具備し、この両保護部が、ファンネル横並び方向に一体状態で連続して設けられてなるものである。
【００１５】
請求項２の発明は、請求項１の構成において、ファンネル横並び方向に間隔を置いて配置されて上向きファンネルの管状部を両側から挟み込む一対の垂直壁と、この両垂直壁から下向きに突設されて上向きファンネルのコーン部外面を両側から覆う突片とによって第１の保護部が構成されたものである。
【００１６】
請求項３の発明は、請求項１または２の構成において、ファンネル横並び方向に対して直角方向に間隔を置いて一対の垂直壁が配置され、この両側垂直壁の上面がファンネルのコーン部に対応する凹曲面に形成されて第２の保護部が構成されたものである。
【００１７】
請求項４の発明は、請求項２または３の構成において、第１および第２の保護部を構成する一対の垂直壁がそれぞれ板紙にて形成され、この両保護部を構成する垂直壁同士が互いの交差部分で噛み合った状態で一体に結合されたものである。
【００１８】
請求項５の発明は、請求項４の構成において、両保護部の垂直壁の交差部分に切り込みが設けられ、この切り込みによって垂直壁同士が噛み合い結合されたものである。
【００１９】
請求項６の発明（梱包容器）は、漏斗状のコーン部と管状部とからなる複数のファンネルを、横並びかつ上下積層して、
（イ）横並びに隣り合うもの同士が上下逆向きとなり、
（ロ）上下に隣り合うもの同士間では、一方のファンネルの管状部が他方のファンネルのコーン部内に入り込む
状態で、底部に水平な支持壁を備えた枠体内に収容して梱包するファンネル用梱包容器において、請求項１乃至５のいずれかに記載のファンネル用梱包補助具が上記枠体内に上記支持壁に支持された状態で設けられてなるものである。
【００２０】
上記梱包補助具および梱包容器によると、第１の保護部によって上向きファンネルの管状部とコーン部が保護される。
【００２１】
これにより、
▲１▼ 下段上向きファンネルの管状部と、この管状部が入り込んだ上段上向きファンネルのコーン部の干渉、
▲２▼  横並びに隣り合うファンネルのコーン部同士の干渉がそれぞれ防止される。
【００２２】
また、第２の保護部によって下向きファンネルの横移動が防止されるため、
▲３▼  下向きファンネルの管状部と、この管状部が入り込んだ下段下向きファンネルのコーン部の干渉が防止される。
【００２３】
ここで、第１および第２両保護部はファンネル横並び方向に一体状態で連続して設けられ、この両保護部に対してファンネルを上向きまたは下向きにセットしていくだけでよいため、従来のようにファンネルごと、またはファンネル間ごとに別体の補助具を装着していく場合と比較して、梱包作業を遥かに能率良く行うことができる。
【００２４】
また、請求項２の構成によると、第１の保護部が、一対の垂直壁と、この垂直壁の下端に突設された突片とから成り、これらによって上向きファンネルをファンネル横並び方向の両側から挟み込んで保護する構成であるため、この第１の保護部の構造が簡単でその加工が容易となり、梱包補助具全体として製造コストが安くてすむ。
【００２５】
一方、請求項３の構成によると、第２の保護部がファンネルコーン部に対応する凹曲面に形成され、コーン部がこの第２の保護部によって横並び方向だけでなくこれと直角方向に対しても位置規制される。
【００２６】
このため、下向きファンネルの前後左右の動きを止めてより安全に運搬することができる。
【００２７】
さらに、請求項４の構成によると、第１および第２両保護部が板紙にて形成され、これらが交差状態で噛み合い結合されているため、梱包補助具の組立てが簡単で、材料コストも安くてすみ、補助具全体を安価に製造することができる。
【００２８】
また、請求項５の構成によると、両保護部が切り込みによって噛み合い結合されるため、これらを接着等によって結合する場合と比較して、結合操作が簡単となり、梱包補助具を容易かつ迅速に組立てることができる。
【００２９】
また、梱包時に結合し、それ以外には分解しておくことができるため、予め両保護部を結合・一体化しておく場合のように嵩張らず、保管等に便利となる。
【００３０】
【発明の実施の形態】
本発明の実施形態を図１〜図４によって説明する。
【００３１】
この実施形態において、図５同様、Ｆ１は上向きファンネル、Ｆ２は下向きファンネルをそれぞれ示す。
【００３２】
ファンネルＦ１，Ｆ２を収容する梱包容器Ｂは、底部前後両側に水平な支持壁１１ａを備えた横長の枠体１１、およびこの枠体１１の上面開口部に被冠される中仕切り板１２からなる本体（とくに符号は付さない）と、この本体内に設けられる梱包補助具とによって構成される。
【００３３】
梱包補助具は、上向きファンネルＦ１を保護する第１の保護部材１３と、下向きファンネルＦ２を保護する第２の保護部材１４と、補助部材１５とによって構成される。
【００３４】
これら各部材１３，１４，１５はいずれも板紙（通常は段ボール）にて形成される。
【００３５】
第１の保護部材１３は、枠体１１の前後方向の内幅とほぼ同等寸法の前後幅寸法を有し、下部に連結壁１６、上部に保護壁（垂直壁）１７を備え、かつ、連結壁１６に四角形の突片１８が下向きに一体に突設されている。
【００３６】
第２の保護部材１４は、枠体１１の左右方向長さとほぼ同等の長さを備え、下向きファンネルＦ２のコーン部Ｃを下側から支える複数のコーン受け部１９…が、互いの間に連結部２０…を置いて連続形成されている。
【００３７】
コーン受け部１９…の上端面１９ａは、コーン部Ｃに対応する凹曲面に形成されている。
【００３８】
補助部材１５は、第１の保護部材１３と同等の前後方向寸法を有し、上端に、下向きファンネルＦ２のコーン部Ｃを支える凹曲面状のコーン受け面２１が形成されている。
【００３９】
第２の保護部材１４は一つの容器Ｂについて前後一対、第１の保護部材１３は一つの上向きファンネルＦ１について左右一対ずつ、補助部材１５は一つの下向きファンネルＦ２について左右一対ずつそれぞれ用いられる。
【００４０】
各部材１３，１４，１５には、相連結される部分に互いに噛み合う切り込み２２…が設けられ、
▲１▼  一対の第２の保護部材１４，１４を前後両側に平行に配置し、
▲２▼  上向きファンネルＦ１一つについて一対の第１の保護部材１３，１３を、ファンネル管状部Ｎを両側から挟み込み得る間隔を置いて左右両側平行に配置し、
▲３▼  下向きファンネルＦ２一つについて一対の補助部材１５，１５を左右に間隔を置いて平行に配置し、
▲４▼  第１の保護部材１３，１３の連結壁１６を第２の保護部材１４，１４の連結部２０，２０に、補助部材１５，１５を第２の保護部材１４，１４のコーン受け部１９，１９にそれぞれ互いの切り込み２２…によって噛み合い連結する。
【００４１】
これにより、三種類の部材１３，１４，１５が縦横に連結されて梱包補助具が組立てられ、この梱包補助具が枠体１１内に装入されて梱包容器Ｂが構成される。
【００４２】
この状態で、一対の第１の保護部材１３，１３によって第１の保護部、一対の第２の保護部材１４，１４と補助部材１５，１５とによって第２の保護部が構成される。
【００４３】
また、第１の保護部材１３，１３は、保護壁１７，１７が枠体１１の上方に突出した状態となる。
【００４４】
なお、図１に示すように中仕切り板１２には、上向きファンネルＦ１の管状部Ｎと上記保護壁１７，１７を上方に導出するための第１のガイド穴１２ａと、下向きファンネルＦ２の管状部Ｎを下方に導出するための第２のガイド穴１２ｂが設けられている。
【００４５】
ファンネルＦ１，Ｆ２は、従来同様、横並びかつ上下積層して、
（イ）横並びに隣り合うもの同士が上下逆向きとなり、
（ロ）上下に隣り合うもの同士間では、一方のファンネル管状部Ｎが他方のファンネルコーン部Ｃ内に入り込む
状態で梱包容器Ｂ…に収容される。
【００４６】
このとき、第１の保護部材１３，１３の保護壁１７，１７が上向きファンネルの管状部Ｎを左右両側から挟み込み、突片１８，１８が同ファンネルコーン部Ｃの左右両側外面に接した状態となる。
【００４７】
これにより、下段ファンネルＦ１の管状部Ｎと上段ファンネルＦ２のコーン部Ｃの干渉、および横並びに隣り合う上向き、下向き両ファンネルＦ１，Ｆ２のコーンＣ，Ｃ部同士の干渉がそれぞれ防止される。
【００４８】
一方、下向きファンネルＦ２は、コーン部Ｃが第２の保護部材１４，１４のコーン受け部１９に下側から支持されることにより、左右方向に位置固定される。
【００４９】
これにより、同ファンネルＦ２の左右移動および傾動が阻止されるため、これらの動きによる上段下向きファンネルＦ２の管状部Ｎと下段下向きファンネルＦ２のコーン部Ｃの干渉が防止される。
【００５０】
なお、下向きファンネルＦ２は、第２の保護部材１４，１４のコーン受け部１９によって前後方向にも位置固定されるが、これに加えて補助部材１５のコーン受け面２１によってさらに前後方向に位置固定される。
【００５１】
また、補助部材１５によって第２の保護部材１４，１４が補強され、かつ、ファンネル重量が分担されるため、第２の保護部材１４，１４が変形したり倒れたり、あるいは間隔が広がったりするおそれがない。
【００５２】
他の実施形態
（１）上記実施形態では、梱包容器ＢにファンネルＦ１，Ｆ２を横一列に収容する構成をとったが、ファンネルＦ１，Ｆ２を複数列に収容する容器構成をとってもよい。
【００５３】
（２）上記実施形態では、上向きファンネルＦ１を保護する第１の保護部を左右一対の第１の保護部材１３，１３によって構成したが、この両部材１３，１３を一体化して第１の保護部を構成してもよい。
【００５４】
また、一体構成をとる場合、および上記実施形態のような別体構成をとる場合に、上向きファンネルＦ１の管状部Ｎを覆う部分を筒状に形成してもよい。
【００５５】
（３）上記実施形態の補助部材１５を省略し、第１および第２両部材１３，１４のみによって梱包補助具を構成してもよい。
【００５６】
【発明の効果】
上記のように本発明によるときは、上下および横並びに隣り合うファンネル同士の干渉を防止する第１および第２の保護部をファンネル横並び方向に一体状態で連続して設けたから、梱包時に、この両保護部に対してファンネルを上向きまたは下向きにセットしていくだけでよく、従来のようにファンネルごと、またはファンネル間ごとに別体の補助具を装着していく場合と比較して、梱包作業を遥かに能率良く行うことができる。
【００５７】
また、請求項２の発明によると、第１の保護部を、一対の垂直壁と、この垂直壁の下端に突設された突片とによって構成し、これらによって上向きファンネルをファンネル横並び方向の両側から挟み込んで保護する構成としたから、この第１の保護部の構造が簡単でその加工が容易となり、梱包補助具全体として製造コストが安くてすむ。
【００５８】
一方、請求項３の発明によると、第２の保護部をファンネルコーン部に対応する凹曲面状に形成したから、コーン部をこの第２の保護部によって横並び方向だけでなくこれと直角方向に対しても位置規制することができる。
【００５９】
このため、下向きファンネルの前後左右の動きを確実に止めてより安全に運搬することができる。
【００６０】
さらに、請求項４の発明によると、第１および第２両保護部を板紙にて形成し、これらを交差状態で噛み合い結合するため、梱包補助具の組立てが簡単で、材料コストも安くてすみ、補助具全体を安価に製造することができる。
【００６１】
また、請求項５の発明によると、両保護部が切り込みによって噛み合い結合されるため、これらを接着等によって結合する場合と比較して、結合操作が簡単となり、梱包補助具を容易かつ迅速に組立てることができる。
【００６２】
また、梱包時に結合し、それ以外には分解しておくことができるため、予め両保護部を結合・一体化しておく場合のように嵩張らず、保管等に便利となる。
【図面の簡単な説明】
【図１】本発明の実施形態を示す梱包状態の部分正断面図である。
【図２】図１のII−II線断面図である。
【図３】図１のIII−III線断面図である。
【図４】同実施形態にかかる梱包容器の一部分解斜視図である。
【図５】従来の梱包容器および梱包補助具を示す梱包状態の部分正断面図である。
【図６】ファンネルの斜視図である。
【符号の説明】
Ｆ１  上向きファンネル
Ｆ２  下向きファンネル
Ｃ  ファンネルのコーン部
Ｎ  同管状部
Ｂ  梱包容器
１１  梱包容器を構成する枠体
１３  梱包補助具の第１の保護部を構成する第１の保護部材
１７  保護壁（垂直壁）
１８  突片
１４  第２の保護部を構成する第２の保護部材
１９  コーン受け部（垂直壁）
１９ａ  コーン受け部の凹曲面（上端面）
２２  保護部材同士を結合するための切り込み
【図１】
0004015728.tif 000002
【図２】
0004015728.tif 000003
【図３】
0004015728.tif 000004
【図４】
0004015728.tif 000005
【図５】
0004015728.tif 000006
【図６】
0004015728.tif 000007